Podtech/llm-jp-corpus-v4-ja_patent huggingface dataset:
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
３Ｄ画像信号が符号化され、前記符号化された３Ｄ画像信号が、基準ビューデータ層及び前記基準ビューデータ層に対する１以上の他のデータ層を有し、前記基準ビュー及び前記１以上の他の層により覆われる表示エリアが、サイズ及び／又は形状において異なり、前記基準ビュー表示エリアと前記１以上の他の層の表示エリアとの間の関係を表すスケーリングデータが生成される、符号化方法。
【請求項２】
前記スケーリングデータが、メタデータとして生成される、請求項１に記載の符号化方法。
【請求項３】
前記スケーリングデータは、前記基準ビューのサイズ及び前記１以上の他の層のサイズが、水平方向にのみ異なることを表す、請求項１に記載の符号化方法。
【請求項４】
前記スケーリングデータが、非長方形形状を表す、請求項１に記載の符号化方法。
【請求項５】
前記スケーリングデータが、非線形スケーリングを表す、請求項１に記載の符号化方法。
【請求項６】
前記基準ビューが、前景データ層である、請求項１ないし５のいずれか一項に記載の符号化方法。
【請求項７】
基準ビューデータ層及び１以上の他のデータ層を有する３Ｄ画像信号を符号化するシステムにおいて、前記基準ビューデータ層及び前記１以上の他のデータ層により覆われる表示エリアのサイズ及び／又は形状が異なり、前記基準ビューデータ層の表示エリアと前記１以上の他の層の表示エリアとの間の関係を表すスケーリングデータが生成される、システム。
【請求項８】
基準ビューデータ層及び１以上の他のデータ層を有する３Ｄ画像信号を復号する方法において、様々なデータ層の表示エリアが異なり、前記３Ｄ画像信号が、前記基準ビュー表示エリアと前記１以上の他の層の表示エリアとの間の関係を表すスケーリングデータを有し、前記復号する方法が、前記スケーリングデータに依存して２以上のデータ層のサイズ及び／又は形状をマッチングするステップを有する、方法。
【請求項９】
基準ビューデータ層及び１以上の他のデータ層を有する３Ｄ画像信号に対する入力を有する復号システムにおいて、様々なデータ層の表示エリアのサイズ及び／又は形状が異なり、前記３Ｄ画像信号が、前記基準ビュー表示エリアと前記１以上の他の層の表示エリアとの間の関係を表すスケーリングデータを有し、前記復号システムが、前記スケーリングデータに依存して前記２以上のデータ層により覆われる表示エリアをマッチングする手段を有する、復号システム。
【請求項１０】
コンピュータ上で実行される場合に、請求項１ないし６のいずれか一項に記載の符号化方法を実行するプログラムコード手段を有するコンピュータプログラム。
【請求項１１】
コンピュータ上で実行される場合に、請求項８に記載の復号方法を実行するプログラムコード手段を有するコンピュータプログラム。
【請求項１２】
請求項１ないし６のいずれか一項に記載の符号化方法を実行するようにコンピュータ可読媒体に記憶されたプログラムコード手段を有するコンピュータプログラム。
【請求項１３】
請求項８に記載の復号方法を実行するようにコンピュータ可読媒体に記憶されたプログラムコード手段を有するコンピュータプログラム。
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
可変サイズのコマンドでページサイズコンフィギュレーションコードをラッチするための回路であって、
異なる期間に前記ページサイズコンフィギュレーションコードのうちの少なくとも1つに対応するデータを受け取るためのデータバスと、
前記異なる期間に前記データをラッチするために前記データバスに結合されるページサイズコンフィギュレータとを備える回路。
【請求項２】
前記データは、1つのページサイズコンフィギュレーションコードに対応するビットの一部を含む請求項1に記載の回路。
【請求項３】
前記データは、1つのページサイズコンフィギュレーションコードに対応するすべてのビットに対応する請求項1に記載の回路。
【請求項４】
前記異なる期間は、複数のクロックサイクルに対応する請求項1に記載の回路。
【請求項５】
前記ページサイズコンフィギュレータは、異なるクロックサイクルで受信されたパルス信号に応答して前記データをラッチするために前記データバスに接続された入力をそれぞれ有するレジスタを備える請求項4に記載の回路。
【請求項６】
前記ページサイズコンフィギュレータは、クロック信号の立ち上がりエッジおよび立ち下がりエッジのうちの一方に応答して前記パルス信号を生成するためにドミノアクティブ化論理回路を備える請求項4に記載の回路。
【請求項７】
ドミノアクティブ化論理回路は、
互いに直列に接続され、前記クロック信号の前記立ち上がりエッジおよび前記立ち下りエッジのうちの一方に応答して前記パルス信号を生成するために順次イネーブルされるラッチ信号発生器を備える請求項5に記載の回路。
【請求項８】
前記ドミノアクティブ化論理回路は、起動信号に応答して前記ラッチ信号発生器のうちの第1のラッチ信号発生器をイネーブルするためのシード信号発生器を備える請求項7に記載の回路。
【請求項９】
前記ラッチ信号発生器のそれぞれは、対応するパルス信号が生成された後に、後続のラッチ信号発生器をイネーブルする請求項8に記載の回路。
【請求項１０】
データを格納するための仮想ページバッファと、
グローバルコマンドに対応して第１のデータ転送速度で外部デバイスと前記仮想ページバッファとの間でデータを転送するためのブリッジデバイスインターフェイスと、
ローカルコマンドに対応して第２のデータ転送速度でメモリデバイスと前記仮想ページバッファとの間でデータを転送するためのメモリデバイスインターフェイスとを備えるブリッジデバイス。
【請求項１１】
前記メモリデバイスは、固定された最大サイズを持つページバッファを備える請求項10に記載のブリッジデバイス。
【請求項１２】
前記第１のデータ転送速度は、前記第２のデータ転送速度よりも速い請求項10に記載のブリッジデバイス。
【請求項１３】
前記第１のデータ転送速度で前記ブリッジデバイスインターフェイスと前記仮想ページバッファとの間でデータを転送するためのデータ経路回路をさらに備える請求項10に記載のブリッジデバイス。
【請求項１４】
前記データ経路回路は、前記ブリッジデバイスインターフェイスで受け取られた書き込みデータを前記仮想ページバッファに転送して前記仮想ページバッファ内に格納するためのデータ入力経路回路と、
前記仮想ページバッファ内に格納された読み出しデータを前記ブリッジデバイスインターフェイスへ転送するためのデータ出力経路回路とを備える請求項13に記載のブリッジデバイス。
【請求項１５】
前記仮想ページバッファは、メモリを備え、
前記メモリは、
前記データ入力経路回路から前記書き込みデータを受け取るための第１の入力経路と、
前記読み出しデータを前記データ出力経路回路に供給するための第１の出力経路と、
前記メモリデバイスインターフェイスから前記読み出しデータを受け取るための第２の入力経路と、
前記メモリ内に格納された前記書き込みデータを供給するための第２の出力経路と
を持つ請求項14に記載のブリッジデバイス。
【請求項１６】
前記メモリの前記第２の出力経路から前記書き込みデータを受け取るとともに、前記書き込みデータを前記メモリデバイスに転送するための前記ローカルコマンドを生成するコンバータ回路をさらに備える請求項15に記載のブリッジデバイス。
【請求項１７】
前記メモリデバイスインターフェイスは非同期式であり、前記ブリッジデバイスインターフェイスはクロック信号を受け取る同期式インターフェイスである請求項10に記載のブリッジデバイス。
【請求項１８】
前記メモリデバイスインターフェイスは、パラレルフォーマットで前記ローカルコマンドを提供し、
前記ブリッジデバイスインターフェイスは、シリアルフォーマットで前記グローバルコマンドを受け取る請求項10に記載のブリッジデバイス。
【請求項１９】
第１のデータ転送速度で読み出しデータを受け取るためのメモリデバイスインターフェイスと、
前記メモリデバイスインターフェイスによって受け取られた前記読み出しデータを格納するための仮想ページバッファと、
前記メモリデバイスインターフェイス内に格納された前記読み出しデータを第２のデータ転送速度で出力するためのブリッジデバイスインターフェイスとを備えるブリッジデバイス。
【請求項２０】
第１のデータ転送速度で書き込みデータを受け取るためのブリッジデバイス入力/出力インターフェイスと、
前記ブリッジデバイス入力/出力インターフェイスによって受け取られた前記書き込みデータを格納するための仮想ページバッファと、
前記仮想ページバッファ内に格納された前記書き込みデータを第２のデータ転送速度で出力するためのメモリデバイスインターフェイスとを備えるブリッジデバイス。
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
広告主から入力されたクリック当り入札価格（または、露出当り入札価格）に基づいて前記広告主の広告に対して決定された広告掲載順位を確認するステップと、
前記確認された広告掲載順位に応じる広告露出領域を介して前記広告主の広告を運用者システムによって決定された期間定額単価に該当する期間の間に露出するステップと、を含み、
前記クリック当り入札価格（または、前記露出当り入札価格）、前記期間の間に前記広告に対して実際に発生したクリック数（または、露出数）および前記期間定額単価に基づいて前記広告の露出による広告費用が算定されることを特徴とする広告提供方法。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
二つの反射層の間に配置された第一の誘電体層を含み、指定波長及び指定の角度で集中された伝送帯域及び第一のバンドシフトを有する、第一の帯域干渉フィルター；
二つの反射層の間に配置された第二の誘電体層を含み、前記指定の波長及び指定の所定の角度で集中された伝送帯域、及び前記の第一のバンドシフトとは異なる第二のバンドシフトを有する、第二の帯域干渉フィルター；並びに
前記第一の帯域干渉フィルターと前記第二の帯域干渉フィルターとの間に配置され、
前記指定の角度で前記複合干渉フィルターを前記伝送された可視光と比較して、前記第一の帯域干渉フィルターのバンドシフトと前記第二の帯域干渉フィルターのバンドシフトとが異なることにより、前記の指定の角度から45°の角度において前記複合干渉フィルターを通過した、伝送された可視光の減少を引き起こす、マッシブスペーサー；
を含む複合干渉フィルター。
【請求項２】
前記第一の誘電体層が、TiO2及びNb205からなる群から選ばれる誘電体を含む、請求項１に記載の複合干渉フィルター。
【請求項３】
前記第二の誘電体層が、Si02、MgF2及びYF2からなる群から選ばれる誘電体を含む、請求項２に記載の複合干渉フィルター。
【請求項４】
前記マッシブスペーサーが、接着剤、ポリ（エチレンテレフタレート）及び空気からなる群から選ばれる部材を含む、請求項１に記載の複合干渉フィルター。
【請求項５】
前記反射層が、銀、金、アルミニウム及び銅からなる群から選ばれる部材を含む、請求項１に記載の複合干渉フィルター。
【請求項６】
前記第一の誘電体層が、2を超える屈折率を有する部材を含み、そして前記第二の誘電体層が1.8未満の屈折率を有する部材を含む、請求項１に記載の複合干渉フィルター。
【請求項７】
前記第一の誘電体層が、2.2を超える屈折率を有する部材を含み、そして前記第二の誘電体層が1.6未満の屈折率を有する部材を含む、請求項１に記載の複合干渉フィルター。
【請求項８】
前記複合干渉フィルターを前記指定の角度で伝送された可視光と比較して、前記第一の帯域干渉フィルターのバンドシフト及び前記第二の帯域干渉フィルターのバンドシフトが異なることにより、前記指定の角度から45°の角度において、伝送された可視光における少なくとも65%の減少を引き起こす、請求項１に記載の複合干渉フィルター。
【請求項９】
前記複合干渉フィルターを前記指定の角度で伝送された可視光と比較して、前記第一の帯域干渉フィルターのバンドシフト及び前記第二の帯域干渉フィルターのバンドシフトが異なることにより、前記指定の角度から45°の角度において、伝送された可視光における少なくとも80%の減少を引き起こす、請求項８に記載の複合干渉フィルター。
【請求項１０】
前記マッシブスペーサーが薄膜化接着剤を含む、請求項１に記載の複合干渉フィルター。
【請求項１１】
前記マッシブスペーサーが高分子フィルムを含む、請求項１に記載の複合干渉フィルター。
【請求項１２】
前記第一帯域干渉フィルター及び前記第二帯域干渉フィルターの一つが、二重の空洞フィルターを含む、請求項１に記載の複合干渉フィルター。
【請求項１３】
前記第一帯域干渉フィルター及び前記第二帯域干渉フィルターの両方が、二重の空洞フィルターを含む、請求項１に記載の複合干渉フィルター。
【請求項１４】
前記第一帯域干渉フィルターが、一つより多い伝送ピークを有する、請求項１に記載の複合干渉フィルター。
【請求項１５】
前記第一帯域干渉フィルター及び前記第二帯域干渉フィルターのそれぞれが、一つより多い伝送ピークを有する、請求項１４に記載の複合干渉フィルター。
【請求項１６】
開口部を通しての電磁波の放射の伝送スペクトルを変える方法であって、
二つの反射層の間に配置された第一の誘電体層を含み、指定波長及び指定の角度で集中された伝送帯域及び第一のバンドシフトを有する、第一の帯域干渉フィルター；
二つの反射層の間に配置された第二の誘電体層を含み、前記指定の波長及び指定の所定の角度で集中された伝送帯域、及び前記の第一のバンドシフトとは異なる第二のバンドシフトを有する、第二の帯域干渉フィルター；並びに
前記第一の帯域干渉フィルターと前記第二の帯域干渉フィルターとの間に配置され、
前記指定の角度で前記複合干渉フィルターを前記伝送された可視光と比較して、前記第一の帯域干渉フィルターのバンドシフトと前記第二の帯域干渉フィルターのバンドシフトとが異なることにより、前記の指定の角度から45°の角度において前記複合干渉フィルターを通過した、伝送された可視光の減少を引き起こす、マッシブスペーサー；
を含む複合干渉フィルターを供給するステップ、
前記指定の角度で前記電磁波の放射を、前記複合干渉フィルターを通すステップ及び
前記指定の角度から45°の角度で前記電磁波の放射を、前記複合干渉フィルターを通すステップ
を含む、方法。
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
６００〜７００ｎｍに最大吸光度を有するフッ素化フタロシアニン顔料と、４００〜５００ｎｍに最大吸光度を有し、緑カラーフィルタを形成する、少なくとも１つの第２顔料とを含むフィルタ層を有し、前記緑フィルタ層が、５２０ｎｍの波長で６０％以上の透過率、５９０ｎｍの波長で１０％以下の透過率、及び４８０ｎｍの波長で１０％以下の透過率を有する、電子表示装置用のカラーフィルタであって、
前記フッ素化フタロシアニン顔料は、式（Ｉ）：
【化１】
2012507743.tif 000001
（式中、Ｍは、アルミニウムであり；Ｒは、フッ素、ペルフルオロアルキル又はペルフルオロアリール基の１つからなり；ｚは１〜４であり；Ｌは、−Ｏ−、−Ｏ−Ｓｉ（Ｒ1）2−Ｏ−Ｓｉ（Ｒ1）2−Ｏ−若しくは−Ｏ−Ｓｉ（Ｒ1）2−Ｒ1−Ｓｉ（Ｒ1）2−Ｏ−（式中、Ｒ1はアルキル又はフェニルである）から選択される架橋配位子であり；及びｎは、分子単位の全電荷が中性であるように１である）によるものであり、且つ少なくとも８５体積％の前記フッ素化フタロシアニン顔料が２７５０ｎｍ未満の粒径を有する、カラーフィルタ。
【請求項２】
ｚは１である、請求項１に記載のカラーフィルタ。
【請求項３】
Ｒはフルオロである、請求項１に記載のカラーフィルタ。
【請求項４】
第２顔料はモノアゾ顔料である、請求項１に記載の緑カラーフィルタ。
【請求項５】
前記第２顔料はピグメントイエロー１８５である、請求項４に記載の緑カラーフィルタ。
【請求項６】
前記フィルタ層はフッ素化フタロシアニン顔料を含み、少なくとも８０体積％の前記顔料粒子が１００ｎｍ未満の粒径を有する、請求項１に記載のカラーフィルタ。
【請求項７】
前記フッ素化フタロシアニンの前記顔料粒子は、非水性有機溶媒を用いて製造される、請求項１に記載のカラーフィルタ。
【請求項８】
前記緑フィルタ層は、式０．１９≦ｘ≦０．２１及び０．６９≦ｙ≦０．７１を満たす、ＣＩＥ標準光Ｃを用いて計算された、ＸＹＺ表示系（１９３１年ＣＩＥ）における色度座標（ｘ，ｙ）を有する、請求項１に記載の緑フィルタ。
【請求項９】
同じ色度座標において、類似の非フッ素化フタロシアニン顔料を用いて同一の方法で調製された緑カラーフィルタよりも大きな輝度％を有する、請求項８に記載の緑カラーフィルタ。
【請求項１０】
請求項１に記載のカラーフィルタを含む電子表示装置。
【請求項１１】
前記表示装置はＯＬＥＤ装置である、請求項１０に記載の表示装置。
【請求項１２】
６００〜７００ｎｍに最大吸光度を有する架橋配位子をもつ、１つのみのフッ素化アルミニウムフタロシアニン顔料と、４００〜５００ｎｍに最大吸光度を有し、緑カラーフィルタを形成する、少なくとも１つの第２顔料とを含むフィルタ層を有し、前記緑フィルタ層が、５２０ｎｍの波長で６０％以上の透過率、５９０ｎｍの波長で１０％以下の透過率、及び４８０ｎｍの波長で１０％以下の透過率を有する、カラーフィルタであって、
前記フッ素化フタロシアニンは、フッ素又はペルフルオロ基のいずれかによって直接置換されたフタロシアニン基である、カラーフィルタ。
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
エレクトロルミネッセント（ＥＬ）サブピクセル内の駆動トランジスタのゲート電極に駆動信号を与える方法であって、
ａ）前記駆動トランジスタ、ＥＬエミッタ、及び読出しトランジスタを有する前記ＥＬサブピクセルを設けることであって、前記駆動トランジスタは第１の電極と、第２の電極と、前記ゲート電極とを有する、こと、
ｂ）第１の電圧源と、該第１の電圧源を前記駆動トランジスタの前記第１の電極に選択的に接続するための第１のスイッチとを設けること、
ｃ）前記ＥＬエミッタを前記駆動トランジスタの前記第２の電極に接続すること、
ｄ）前記ＥＬエミッタに接続される第２の電圧源を設けること、
ｅ）前記読出しトランジスタの前記第１の電極を前記駆動トランジスタの前記第２の電極に接続すること、
ｆ）電流源と、該電流源を前記読出しトランジスタの前記第２の電極に選択的に接続するための第３のスイッチとを設けること、
ｇ）前記読出しトランジスタの前記第２の電極に接続される電圧測定回路を設けること、
ｈ）前記第１のスイッチを開き、前記第３のスイッチを閉じると共に、前記電圧測定回路を用いることであって、前記読出しトランジスタの前記第２の電極における電圧を測定して、第１のエミッタ電圧信号を与える、こと、
ｉ）前記第１のエミッタ電圧信号を用いることであって、前記ＥＬエミッタの効率を表す経年変化信号を与える、こと、
ｊ）入力信号を受信すること、
ｋ）前記経年変化信号及び前記入力信号を用いることであって、補償済み駆動信号を与える、こと、
ｌ）前記補償済み駆動信号を前記駆動トランジスタの前記ゲート電極に与えることであって、前記ＥＬエミッタの効率の変化を補償する、こと、
前記ＥＬエミッタを前記第２の電圧源に選択的に接続するための第２のスイッチを設けること、
を含み、前記ステップｈは、前記第２のスイッチを閉じることを含む、方法。
【請求項２】
前記ステップｈは、
ｉ）第１の時点において前記読出しトランジスタの前記第２の電極において電圧を測定することであって、前記第１のエミッタ電圧信号を与える、こと、
ｉｉ）前記第１のエミッタ電圧信号を格納すること、
ｉｉｉ）第２の時点において第２のエミッタ電圧信号を測定することであって、該第２の時点は前記第１の時点とは異なる、こと、及び
ｉｖ）前記第２のエミッタ電圧信号を格納すること、
をさらに含む、請求項１に記載の方法。
【請求項３】
前記ステップｉは、前記格納された第１のエミッタ電圧信号及び第２のエミッタ電圧信号を比較することであって、前記経年変化信号を与える、ことをさらに含む、請求項２に記載の方法。
【請求項４】
前記電圧測定回路は、アナログ／デジタルコンバータを含む、請求項１に記載の方法。
【請求項５】
前記電圧測定回路は、ローパスフィルターをさらに含む、請求項４に記載の方法。
【請求項６】
複数のＥＬサブピクセルを設けることをさらに含み、前記ステップｈ及び前記ステップｉは、複数の対応する経年変化信号を生成するために前記ＥＬサブピクセル毎に実行され、前記ステップｊ〜前記ステップｌは前記対応する経年変化信号を用いて前記複数のサブピクセルのそれぞれについて実行される、請求項１に記載の方法。
【請求項７】
前記ステップｈは、所定の数のそのようなＥＬサブピクセルに対して実行され、その間、該所定の数のサブピクセルは同時に駆動される、請求項６に記載の方法。
【請求項８】
前記ＥＬサブピクセルは行及び列に配列され、前記方法は、対応する選択トランジスタの前記ゲート電極に接続される複数の行選択線と、対応する前記読出しトランジスタの前記第２の電極に接続される複数の読出し線とを設けることをさらに含む、請求項６に記載の方法。
【請求項９】
前記所定の数のＥＬサブピクセルのそれぞれを順次に測定して対応する前記第１のエミッタ電圧信号を与えるために前記複数の読出し線に接続されるマルチプレクサを用いることをさらに含む、請求項８に記載の方法。
【請求項１０】
前記駆動トランジスタの前記ゲート電極に接続される選択トランジスタを設けることをさらに含み、前記選択トランジスタの前記ゲート電極は前記読出しトランジスタの前記ゲート電極に接続される、請求項１に記載の方法。
【請求項１１】
各前記ＥＬエミッタはＯＬＥＤエミッタを含み、各前記ＥＬサブピクセルはＯＬＥＤサブピクセルを含む、請求項１に記載の方法。
【請求項１２】
前記ステップは、ソースドライバを設けること、及び該ソースドライバを用いることであって、前記駆動トランジスタの前記ゲート電極に前記補償済み駆動信号を与えることをさらに含む、請求項１に記載の方法。
【請求項１３】
前記ソースドライバはデジタル／アナログコンバータを含む、請求項１２に記載の方法。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
試験試料に由来する微生物のキャラクタリゼーションおよび／または同定方法であり、
（ａ）微生物を含むことが既知であるまたは微生物を含む可能性がある試験試料を採取するステップと、
（ｂ）容器内の密度クッションの上に試験試料を積層するステップと、
（ｃ）前記試験試料および／または前記密度クッションに同定作用物質を添加するステップと、
（ｄ）他の成分から微生物を分離するために前記容器を遠心分離機にかけて微生物のペレットを形成するステップと、
（ｅ）前記ペレットおよび／または前記１または複数の同定作用物質を解析し、前記微生物を同定する測定値を生成するステップと、
（ｆ）生成した前記測定値および／または前記同定作用物質もしくは代謝後の状態の前記同定作用物質の存在の有無に基づいて前記ペレット内の前記微生物をキャラクタリゼーションおよび／または同定するステップと、
を含むことを特徴とする方法。
【請求項２】
請求項１に記載の方法であり、前記同定作用物質は、親和性配位子、抗体若しくはその断片、酵素基質、核酸プローブ、抗生物質、アプタマー、ペプチド模倣体、ファージ由来の結合タンパク質、レクチン、宿主先天性免疫タンパク質、宿主防御ペプチド、バクテロシン、バクテリオファージ、選択的な色素、キレート剤、感光剤、消光剤、還元剤、酸化剤、緩衝液、酸、基剤、溶媒、アルコール、固定液、洗浄剤、界面活性剤、消毒薬、毒性化合物、代謝阻害剤、酸化代謝プローブ、膜電位タンパク質、ＥＤＴＡ（エチレンジアミン四酢酸）、ピログルタミルペプチダーゼの酵素基質、蛍光標識された核酸プローブの混合物およびそれらの任意の組合せを含む群から選択されることを特徴とする、方法。
【請求項３】
請求項１に記載の方法であり、前記ステップ（ｂ）〜（ｅ）は封止容器内で実行され、解析する前記ステップ（ｅ）は非侵襲的であることを特徴とする、方法。
【請求項４】
請求項１に記載の方法であり、解析する前記ステップ（ｅ）は光学分光法または質量分析法により行われることを特徴とする、方法。
【請求項５】
請求項１に記載の方法であり、前記微生物のキャラクタリゼーションは、表現型特徴および／または形態学的特徴のうちの１つまたは複数の測定値に基づいて行われることを特徴とする、方法。
【請求項６】
請求項１に記載の方法であり、前記微生物は１つまたは複数の分類モデルにキャラクタリゼーションされ、前記分類モデルは、グラム群、臨床グラム群、治療群および機能群を含む群から選択されることを特徴とする、方法。
【請求項７】
請求項１に記載の方法であり、前記微生物を、属レベル、種レベルまたは株レベルまで同定することを特徴とする、方法。
【請求項８】
請求項１に記載の方法であり、分離する前記ステップ（ｄ）に先立って、選択的に溶解させるステップをさらに有することを特徴とする、方法。
【請求項９】
微生物の単離および同定方法であり、
（ａ）微生物を含むことが既知であるまたは微生物を含む可能性がある試験試料を採取するステップと、
（ｂ）前記試験試料中の細胞を溶解して溶解試料を生成する任意のステップと、
（ｃ）前記溶解試料の他の構成成分から微生物を分離して微生物のペレットを形成するステップと、
（ｄ）前記ペレットを解析して前記微生物を同定する測定値を生成するステップと、
（ｅ）生成した前記測定値に基づいて前記微生物を同定するステップと、
（ｆ）前記ペレットの少なくとも一部を回収して回収微生物を得るステップと、
（ｇ）前記回収微生物について一つまたは複数のさらなる試験を行うステップとを含むことを特徴とする方法。
【請求項１０】
請求項９に記載の方法であり、解析する前記ステップ（ｄ）は光学分光法または質量分析法によって行うことを特徴とする、方法。
【請求項１１】
請求項９に記載の方法であり、前記方法は選択的溶解ステップ（ｂ）をさらに含み、該選択的溶解ステップは１つまたは複数の洗浄剤並びに１つまたは複数のプロテイナーゼおよび１つまたは複数のヌクレアーゼの混合物を含む溶解溶液を用いて行うことを特徴とする、方法。
【請求項１２】
請求項９に記載の方法であり、前記回収微生物は適した緩衝液中に再懸濁され、
前記さらなる試験は同定試験、キャラクタリゼーション試験、又は薬剤耐性、毒性因子、および／若しくは耐性記録であることを特徴とする、方法。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
試験試料に由来する微生物のキャラクタリゼーションおよび／または同定方法であり、
（ａ）微生物を含むことが既知であるまたは微生物を含む可能性がある試験試料を採取するステップと、
（ｂ）前記試験試料中に非微生物細胞を選択的に溶解させて溶解試料を生産するステップと、
（ｃ）前記溶解試料を前記容器内の密度クッション上に積層するステップと、
（ｄ）前記容器を遠心分離にかけて前記溶解試料の他の構成成分から微生物を分離して前記微生物のペレットを形成するステップと、
（ｅ）前記ペレットからの前記微生物を質量分析で解析して前記微生物の質量スペクトルを生成するステップと、
（ｆ）測定された前記質量スペクトルと、参照質量スペクトルおよび／または既知の微生物の細胞成分の既知質量もしくは予測質量と、を比較することにより前記ペレット中の前記微生物のキャラクタリゼーションおよび／または同定を行うステップとを含む方法。
【請求項２】
請求項１に記載の方法であり、前記ステップ（ｄ）で得られた前記微生物の前記ペレットの少なくとも一部は回収され、解析する前記ステップ（ｅ）の前に担持体上に配置されることを特徴とする、方法。
【請求項３】
請求項１に記載の方法であり、前記ステップ（ｄ）で得られた前記ペレットの少なくとも一部は、解析する前記ステップ（ｅ）の前に分離中に担持体上に直接堆積されることを特徴とする、方法。
【請求項４】
請求項１に記載の方法であり、前記質量分析は、ＭＡＬＤＩ-ＴＯＦ質量分析、脱離エレクトロスプレーイオン化（ＤＥＳＩ）質量分析、ＧＣ質量分析、ＬＣ質量分析、エレクトロスプレーイオン化（ＥＳＩ）質量分析、および選択イオンフローチューブ（ＳＩＦＴ）分析を含む群から選択されることを特徴とする、方法。
【請求項５】
請求項１に記載の方法であり、前記微生物は、１つまたは複数の表現型特徴および／または形態学的特徴に基づいてキャラクタリゼーションされることを特徴とする、方法。
【請求項６】
請求項１に記載の方法であり、前記微生物は１つまたは複数の分類モデルにキャラクタリゼーションされ、前記分類モデルは、グラム群、臨床グラム群、治療群、および機能群を含む群から選択されることを特徴とする、方法。
【請求項７】
請求項１に記載の方法であり、前記微生物を、属レベル、種レベルまたは株レベルまで同定されることを特徴とする、方法。
【請求項８】
請求項１に記載の方法であり、選択的に溶解させる前記ステップ（ｂ）は、１つまたは複数の洗浄剤並びに１つまたは複数のプロテイナーゼ及び１つまたは複数のヌクレアーゼの混合物を含む１つまたは複数の酵素を含む溶解溶液を使用して実行されることを特徴とする、方法。
【請求項９】
請求項１に記載の方法であり、前記密度クッションは、コロイドシリカ、ヨウ化造影剤、スクロース、顕微鏡用液浸油、鉱油、シリコーン油、フルオロシリコーン油、シリコーンゲル、メトリゾエート‐Ｆｉｃｏｌｌ（登録商標）、ジアトリゾエート‐デキストラン、カルボキシメチルセルロース、ヒドロキシプロピルメチルセルロース、ポリエチレンオキシド（高分子量）、Ｐｌｕｒｏｎｉｃ（登録商標）Ｆ１２７、Ｐｌｕｒｏｎｉｃ（登録商標）Ｆ６８、ポリアクリル酸、架橋したポリビニルアルコール、架橋したポリビニルピロリジン、ＰＥＧメチルエーテルメタクリレート、ペクチン、アガロース、キサンタン、ジェラン、Ｐｈｙｔａｇｅｌ（登録商標）、ソルビトール、Ｆｉｃｏｌｌ（登録商標）、グリセロール、デキストラン、グリコーゲン、塩化セシウム、パーフルオロカーボン液、ハイドロフルオロカーボン液、およびこれらの組み合わせ、のうちの１つまたは複数を含むことを特徴とする、方法。
【請求項１０】
請求項１に記載の方法であり、前記試験試料は微生物を含むことが既知である培養試料であることを特徴とする、方法。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
試験試料に由来する微生物のキャラクタリゼーションおよび／または同定方法であり、
（ａ）微生物を含むことが既知であるまたは微生物を含む可能性がある試験試料を採取するステップと、
（ｂ）前記試験試料中に非微生物細胞を選択的に溶解させて溶解試料を生産するステップと、
（ｃ）前記溶解試料を前記容器内の密度クッション上に積層するステップと、
（ｄ）前記容器を遠心分離にかけて前記溶解試料の他の構成成分から微生物を分離して微生物のペレットを形成するステップと、
（ｅ）前記ペレットからの前記微生物を分光解析して前記微生物の分光測定値を生成するステップと、
（ｆ）前記分光測定値と既知の微生物に関して得られる分光測定値もしくは予測分光特性とを比較することにより前記ペレット中の前記微生物のキャラクタリゼーションおよび／または同定を行うステップとを含むことを特徴とする方法。
【請求項２】
請求項１に記載の方法であり、前記ステップ（ｃ），（ｄ）および（ｅ）は封止容器内で実行され、解析する前記ステップ（ｅ）は非侵襲的であることを特徴とする、方法。
【請求項３】
請求項１に記載の方法であり、前記分光測定値は蛍光分光法およびラマン分光法に由来することを特徴とする、方法。
【請求項４】
請求項１に記載の方法であり、前記分光法は、蛍光分光法、拡散反射分光法、透過吸収分光法、赤外分光法、テラヘルツ分光法およびそれらの任意の組合せを含む群から選択されることを特徴とする、方法。
【請求項５】
請求項４に記載の方法であり、蛍光分光を前面モードで測定することを特徴とする、方法。
【請求項６】
請求項１に記載の方法であり、同定は前記微生物の固有蛍光に基づき、
前記分光法は励起発光マトリクス（ＥＥＭ）を決定するステップを含み、且つ、
前記ＥＥＭは既知の微生物のＥＥＭのデータベースと比較されることを特徴とする、方法。
【請求項７】
請求項１に記載の方法であり、前記微生物のキャラクタリゼーションは１つまたは複数の表現型特徴および／または形態学的特徴に基づいて行われるか、又は、
前記微生物のキャラクタリゼーションは、検出時間、培養率ならびに微生物ペレットサイズ、形状、色および／または密度のうちの１つまたは複数の測定値に基づいて行われることを特徴とする、方法。
【請求項８】
請求項１に記載の方法であり、前記微生物は１つまたは複数の分類モデルにキャラクタリゼーションされ、前記分類モデルは、グラム群、臨床グラム群、治療群、機能群および天然固有蛍光群を含む群から選択されることを特徴とする、方法。
【請求項９】
請求項１に記載の方法であり、前記微生物を、属レベル、種レベルまたは株レベルまで同定することを特徴とする、方法。
【請求項１０】
請求項１に記載の方法であり、選択的に溶解させる前記ステップ（ｂ）は、１つまたは複数の洗浄剤並びに１つまたは複数のプロテイナーゼ及び１つまたは複数のヌクレアーゼの混合物を含む１つまたは複数の酵素を含む溶解溶液を使用して実行されることを特徴とする、方法。
【請求項１１】
請求項１に記載の方法であり、前記密度クッションは、コロイドシリカ、ヨウ化造影剤、スクロース、顕微鏡用液浸油、鉱油、シリコーン油、フルオロシリコーン油、シリコーンゲル、メトリゾエート‐Ｆｉｃｏｌｌ（登録商標）、ジアトリゾエート‐デキストラン、カルボキシメチルセルロース、ヒドロキシプロピルメチルセルロース、ポリエチレンオキシド（高分子量）、Ｐｌｕｒｏｎｉｃ（登録商標）Ｆ１２７、Ｐｌｕｒｏｎｉｃ（登録商標）Ｆ６８、ポリアクリル酸、架橋したポリビニルアルコール、架橋したポリビニルピロリジン、ＰＥＧメチルエーテルメタクリレート、ペクチン、アガロース、キサンタン、ジェラン、Ｐｈｙｔａｇｅｌ（登録商標）、ソルビトール、Ｆｉｃｏｌｌ（登録商標）、グリセロール、デキストラン、グリコーゲン、塩化セシウム、パーフルオロカーボン液および／またはハイドロフルオロカーボン液のうちの１つまたは複数を含むことを特徴とする、方法。
【請求項１２】
請求項１に記載の方法であり、前記試験試料は微生物を含むことが既知である培養試料であることを特徴とする、方法。
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
少なくとも二つの相互に直交する方向の加速を検知するトランスデューサであって、
基板と、
前記基板の表面の上に基板と離間した関係で配置され、回転軸に対して移動される第１試験質量であって、前記第１試験質量を通る開口を有する第１試験質量と、
前記基板の表面に形成され、相互直交方向の第１方向の加速に応答して前記第１試験質量が回転軸の周囲を回転可能なように、前記回転軸の位置で前記第１試験質量を前記基板に枢動可能に接続する第１アンカーシステムと、
前記開口内で、前記基板の表面の上に基板と離間した関係で存在する第２試験質量と、
前記基板の表面に形成され、相互直交方向の第２方向の加速に応答して前記第２試験質量が前記基板の表面と実質的に平行に移動できるように前記第２試験質量に接続された第２アンカーシステムと、
を備えたトランスデューサ。
【請求項２】
請求項１記載のトランスデューサにおいて、
前記第１試験質量の前記開口は、内部周辺壁によって区画形成され、
前記第１アンカーシステムは、
前記内部周辺壁の第１側で前記第１試験質量に取り付けられた第１枢動要素と、
前記内部周辺壁の第１側の反対側の前記内部周辺壁の第２側で前記第１試験質量に取り付けられた第２枢動要素と、
を備えることを特徴とするトランスデューサ。
【請求項３】
請求項１記載のトランスデューサにおいて、
前記第１試験質量は第１端部及び第２端部を有し、
前記回転軸と前記第１端部との間に第１部分が形成され、
前記回転軸と前記第２端部との間に第２部分が形成され、
前記第１部分は前記第２部分より大きな質量を示すことを特徴とするトランスデューサ。
【請求項４】
請求項１記載のトランスデューサにおいて、
前記第２アンカーシステムは、回転軸よりオフセットされ、前記回転軸に対して対称的に配置された複数のバネ要素を有する第２アンカーシステムであって、同第２アンカーシステムは、前記相互直交方向における第３方向の加速に応答して、前記第２試験質量が前記基板表面と平行に移動することを可能にすることを特徴とするトランスデューサ。
【請求項５】
少なくとも二つの相互に直交する方向の加速度を検知するトランスデューサであって、
基板と、
前記基板の表面上に基板と離間した関係で配置され、回転軸に対して移動される第１試験質量であって、前記第１試験質量を通る開口を有する第１試験質量と、
前記基板の表面に形成され、相互直交方向の第１方向の加速に応答して前記第１試験質量が回転軸周囲を回転可能なように、前記回転軸の位置で前記第１試験質量を前記基板に枢動可能に接続する第１アンカーシステムと、
前記開口内で、基板の表面上に基板に離間した関係で存在する第２試験質量であって、第１中心線と同軸の第２中心線を示す第２試験質量と、
前記基板の表面に形成され、相互直交方向の第２方向の加速に応答して前記第２試験質量が前記基板表面に対して実質的に平行に移動できるように、前記第２試験質量に接続された第２アンカーシステムと、
を備えたトランスデューサ。
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
メチオニンアミノペプチダーゼ２（ＭｅｔＡＰ２）の活性を阻害する化合物をスクリーニングするための方法であって、
（ａ）単一の細胞、細胞培養物、組織、器官および非ヒトの哺乳動物の群から選択される、ＭｅｔＡＰ２および真核生物翻訳伸長因子１アルファ（ＥＥＦ１Ａ）を発現する細胞系またはその試料を準備するステップと、
（ｂ）前記系の少なくとも一部分を、スクリーニングされる化合物と一緒にインキュベートするステップと、
（ｃ）Ｎ末端メチオニン残基を有するＥＥＦ１Ａ（ＭｅｔＥＥＦ１Ａ）を決定することによってＭｅｔＡＰ２阻害を検出するステップと、
を含む方法。
【請求項２】
（ｄ）前記化合物のＭｅｔＡＰ２タンパク質との特異的な結合を検出するステップ、
をさらに含む、請求項１に記載の方法。
【請求項３】
ステップ（ｃ）が、
（ｃ’）ＭｅｔＥＥＦ１Ａのシグナルの量またはシグナルの変化を、前記系内のＭｅｔＥＥＦ１Ａ濃度と相関させるステップと、
（ｃ’’）前記ＭｅｔＥＥＦ１Ａ濃度を、化合物と一緒にインキュベートしていない細胞系内および／またはＭｅｔＡＰ２阻害活性を有する標準化合物と一緒にインキュベートした細胞系内の別のＭｅｔＥＥＦ１Ａ濃度と比較することによって、ＭｅｔＡＰ２阻害レベルを検出するステップと、
をさらに含む、請求項１または２に記載の方法。
【請求項４】
さらにステップ（ｃ）においてアセチル化されたＮ末端グリシン残基を有するＥＥＦ１Ａ（ａｃＧｌｙＥＥＦ１Ａ）を決定し、ステップ（ｃ’）において、ａｃＧｌｙＥＥＦ１Ａのシグナルの量またはシグナルの変化を系内のａｃＧｌｙＥＥＦ１Ａ濃度と相関させ、場合によってＭｅｔＥＥＦ１Ａ対ａｃＧｌｙＥＥＦ１Ａの比を決定し、ステップ（ｃ’’）において、ａｃＧｌｙＥＥＦ１Ａ濃度および／またはＭｅｔＥＥＦ１Ａ対ａｃＧｌｙＥＥＦ１Ａの比を、化合物と一緒にインキュベートしていない細胞系内および／またはＭｅｔＡＰ２阻害活性を有する標準化合物と一緒にインキュベートした細胞系内の、別のａｃＧｌｙＥＥＦ１Ａ濃度および／または別のＭｅｔＥＥＦ１Ａ対ａｃＧｌｙＥＥＦ１Ａの比と比較する、請求項１〜３のいずれか一項に記載の方法。
【請求項５】
抗増殖性活性、好ましくは抗血管新生活性および／または抗腫瘍活性をもたらす化合物をスクリーニングするための、請求項１〜４のいずれか一項に記載の、好ましくは請求項１または２に記載の方法。
【請求項６】
増殖性によって引き起こされる障害または状態のための治療用化合物をスクリーニングするための請求項５に記載の方法であって、ステップ（ａ）において、哺乳動物、好ましくは実験哺乳動物を準備し、そのＭｅｔＥＥＦ１Ａを哺乳動物から採取した生体試料において決定し、ステップ（ｂ）において、前記化合物が該哺乳動物に投与され、ステップ（ｃ）において、該哺乳動物から採取した生体試料中のＭｅｔＥＥＦ１Ａを決定することによって治療効果を検出し、ＭｅｔＥＥＦ１Ａの増加が、前記化合物に治療効果がある可能性が高いことを示す、方法。
【請求項７】
ステップ（ｃ）が、
（ｃ’）ＭｅｔＥＥＦ１Ａのシグナルの量またはシグナルの変化を、系内のＭｅｔＥＥＦ１Ａ濃度と相関させるステップと、
（ｃ’’）前記ＭｅｔＥＥＦ１Ａ濃度を、非増殖性細胞および／または増殖性細胞の系内の別のＭｅｔＥＥＦ１Ａ濃度と比較することによって抗増殖性活性のレベルを検出するステップと
をさらに含む、請求項５または６に記載の方法。
【請求項８】
ＭｅｔＡＰ２活性によって引き起こされ、媒介され、かつ／または拡大されるがん性疾患の治療の応答の見込みをモニタリングするための方法であって、ＭｅｔＥＥＦ１Ａを、少なくとも１つのＭｅｔＡｐ２阻害剤、またはその生理学的に許容できる塩を用いた治療を必要とする哺乳動物から回収した生体試料において決定し、該少なくとも１つのＭｅｔＡｐ２阻害剤またはその生理学的に許容できる塩を該哺乳動物に投与し、ＭｅｔＥＥＦ１Ａの増加が、前記哺乳動物が前記化合物を用いた治療に応答する可能性が高いことを示す、方法。
【請求項９】
ＭｅｔＡＰ２活性を活性化する化合物をスクリーニングするための方法であって、
（ａ）単一の細胞、細胞培養物、組織、器官および非ヒトの哺乳動物の群から選択される、ＭｅｔＡＰ２を発現する細胞系またはその試料を準備するステップと、
（ｂ）前記系の少なくとも一部分を、スクリーニングされる化合物と一緒にインキュベートするステップと、
（ｃ）ＭｅｔＥＥＦ１Ａを決定するステップと、
（ｃ’）ＭｅｔＥＥＦ１Ａのシグナルの量またはシグナルの変化を、前記系内のＭｅｔＥＥＦ１Ａ濃度と相関させるステップと、
（ｃ’’）前記ＭｅｔＥＥＦ１Ａの濃度を、ＭｅｔＡＰ２活性を活性化する標準化合物と一緒にインキュベートした細胞系内の別のＭｅｔＥＥＦ１Ａの濃度と比較することによってＭｅｔＡＰ２活性を検出するステップと、場合によって、
（ｄ）前記化合物のＭｅｔＡＰ２タンパク質との特異的な結合を検出するステップと
を含む方法。
【請求項１０】
ＭｅｔＡＰ２活性を決定するための方法であって、
（ａ）単一の細胞、細胞培養物、組織、器官および非ヒトの哺乳動物の群から選択される、ＭｅｔＡＰ２を発現する細胞系またはその試料を準備するステップと、
（ｂ）前記系の少なくとも一部分を、スクリーニングされる化合物と一緒にインキュベートするステップと、
（ｃ）ＭｅｔＥＥＦ１Ａを決定し、ＭｅｔＥＥＦ１Ａのシグナルの量またはシグナルの変化を系内のＭｅｔＥＥＦ１Ａ濃度と相関させることによってＭｅｔＡＰ２活性を決定するステップであって、ＭｅｔＡＰ２活性とＭｅｔＥＥＦ１Ａ濃度が逆比例するステップと
を含む方法。
【請求項１１】
ＭｅｔＡＰ２活性の低下を評価するためのバイオマーカーとしての、配列番号１のアミノ酸配列を含むＥＥＦ１Ａ１および／または配列番号２のアミノ酸配列を含むＥＥＦ１Ａ２、または同じ機能を有する、変異体、突然変異体、アミノ酸配列の部分または少なくとも８５％相同な配列、またはＥＥＦ１Ａ１をコードする核酸および／またはＥＥＦ１Ａ２をコードする核酸配列の使用。
【請求項１２】
がん性疾患に罹患している患者が、抗ＭｅｔＡＰ２薬物を用いた治療に対して治療上有利に応答する可能性を予測するためのｉｎ  ｖｉｔｒｏの方法であって、（ｉ）前記患者の腫瘍組織または血漿の生検組織試料においてＭｅｔＥＥＦ１Ａバイオマーカーの発現レベルをタンパク質ベースで測定するステップと、（ｉｉ）前記患者の腫瘍または血漿の組織試料を前記抗ＭｅｔＡＰ２薬物にｅｘ  ｖｉｖｏで暴露させるステップと、（ｉｉｉ）ステップ（ｉｉ）の前記暴露させた組織試料において、ステップ（ｉ）で特定した前記バイオマーカーの発現レベルを測定するとともにステップ（ｉｉ）および（ｉｉｉ）で測定された発現レベルの差異を算出するステップとを含み、このステップ（ｉｉｉ）で得られた前記バイオマーカーの発現レベルがステップ（ｉ）と比較して高いことが、前記患者が前記抗ＭｅｔＡＰ２薬物を用いた治療に対して治療上有利に応答する可能性が高いことを示す方法。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
組み換えアデノウイルス抗原型３５（ｒＡｄ３５）を産生するに当たり、
（ａ）ＰＥＲ．Ｃ６細胞を懸濁液中潅流システムで培養する工程と、
（ｂ）前記細胞を密度１０×１０６生存細胞／ｍＬから１６×１０６生存細胞／ｍＬの間の密度にてｒＡｄ３５で感染させる工程と、
（ｃ）感染細胞を潅流システムでさらに培養して前記ｒＡｄ３５を増殖させ、ｒＡｄ３５ウイルス粒子が少なくとも１×１０１２ＶＰ／ＩＵとなるようにする工程と、
（ｄ）前記ｒＡｄ３５を採取する工程と
を備えることを特徴とする方法。
【請求項２】
前記工程ｂ）における細胞をｒＡｄ３５で約１０×１０６から１４×１０６生存締胞／ｍＬの間の密度において感染させる請求項１に記載の方法。
【請求項３】
前記工程ｃ）における潅流システムが、交互接線流（ＡＴＦ）潅流システムである前記請求項のいずれか一項に記載の方法。
【請求項４】
ｅ）ｒＡｄを精製する工程と、任意に
ｆ）精製されたｒＡｄ３５を含有する医薬品組成物を調製する工程と
をさらに備える前記請求項のいずれか一項に記載の方法。
【請求項５】
前記組み換えアデノウイルスが、Ｅ１領域の少なくとも一部を欠如し、異種核酸を含有する前記請求項のいずれか一項に記載の方法。
【請求項６】
前記工程ａ）における潅流システムが、交互接線流（ＡＴＦ）潅流システムである前記請求項のいずれか一項に記載の方法。
【請求項７】
前記工程ａ）を第一のバイオリアクター内にて実行い、前記工程ｂ）およびｃ）を第二のバイオリアクター内にて行う前記請求項のいずれか一項に記載の方法。
【請求項８】
前記産生ｒＡｄ３５の物理的粒子に対する感染性粒子（ＶＰ／ＩＵ）の比率が３０：１未満、好ましくは２０：１未満である前記請求項のいずれか一項に記載の方法。
【請求項９】
培養培地と、ＰＥＲ．Ｃ６細胞と、ウイルス粒子とを含有するバイオリアクターにおいて、該バイオリアクターが２Ｌから１０００Ｌの間、好ましくは５０Ｌから５００Ｌの間の作業容積を有し、前記バイオリアクターが少なくとも１×１０１２ｒＡｄ３５ウイルス粒子（ＶＰ）／ｍＬを含有することを特徴とするバイオリアクター。
【請求項１０】
ＡＴＦ潅流システムに接続した請求項９に記載のバイオリアクター。
【請求項１１】
前記ｒＡｄ３５ウイルス粒子が、３０：１未満、好ましくは２０：１未満のＶＰ／ＩＵ比率を有する、請求項９または１０に記載のバイオリアクター。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
試験試料に由来する微生物のキャラクタリゼーションおよび／または同定方法であり、
（ａ）微生物を含むことが既知であるまたは微生物を含む可能性がある試験試料を採取するステップと、
（ｂ）前記試験試料中に非微生物細胞を選択的に溶解させて溶解試料を生産するステップと、
（ｃ）前記溶解試料を前記容器内の密度クッション上に積層するステップと、
（ｄ）前記容器を遠心分離にかけて前記溶解試料の他の構成成分から微生物を分離して微生物ペレットを形成するステップと、
（ｅ）前記ペレットからの微生物を１つ又は複数のラマン分光技術を用いて解析して前記微生物の分光測定値を生成するステップと、
（ｆ）前記分光測定値と既知の微生物に関して得られる分光測定値もしくは予測分光特性とを比較することにより前記ペレットからの前記微生物のキャラクタリゼーションおよび／または同定を行うステップとを含むことを特徴とする方法。
【請求項２】
請求項１に記載の方法であり、前記ステップ（ｃ），（ｄ）および（ｅ）は封止容器内で実行され、前記解析ステップ（ｅ）は非侵襲的であることを特徴とする、方法。
【請求項３】
請求項１に記載の方法であり、前記ラマン分光技術は、ラマン分光法、共焦点ラマン分光法、表面増強ラマン分光法、空間オフセットラマン分光法、共鳴ラマン分光法、透過ラマン分光法、およびこれらの組み合わせを含む群から選択されることを特徴とする、方法。
【請求項４】
請求項１に記載の方法であり、前記微生物のキャラクタリゼーションは１つまたは複数の表現型特徴および／または形態学的特徴に基づいて行われ、又は、
前記微生物のキャラクタリゼーションは、検出時間、培養率ならびに微生物ペレットサイズ、形状、色および／または密度のうちの１つまたは複数の測定値に基づいて行われることを特徴とする、方法。
【請求項５】
請求項１に記載の方法であり、前記微生物は１つまたは複数の分類モデルにキャラクタリゼーションされ、前記分類モデルは、グラム群、臨床グラム群、治療群、および機能群を含む群から選択されることを特徴とする、方法。
【請求項６】
請求項１に記載の方法であり、前記微生物を、属レベル、種レベルまたは株レベルまで同定することを特徴とする、方法。
【請求項７】
請求項１に記載の方法であり、選択的に溶解させる前記ステップ（ｂ）は、１つまたは複数の洗浄剤を含む溶解溶液を使用して実行され、
前記溶解溶液は１つまたは複数の酵素を更に含み、前記１つまたは複数の酵素は１つまたは複数のプロテイナーゼと１つまたは複数のヌクレアーゼの混合物を含むことを特徴とする、方法。
【請求項８】
請求項１に記載の方法であり、前記密度クッションは、コロイドシリカ、ヨウ化造影剤、スクロース、顕微鏡用液浸油、鉱油、シリコーン油、フルオロシリコーン油、シリコーンゲル、メトリゾエート‐Ｆｉｃｏｌｌ（登録商標）、ジアトリゾエート‐デキストラン、カルボキシメチルセルロース、ヒドロキシプロピルメチルセルロース、ポリエチレンオキシド（高分子量）、Ｐｌｕｒｏｎｉｃ（登録商標）Ｆ１２７、Ｐｌｕｒｏｎｉｃ（登録商標）Ｆ６８、ポリアクリル酸、架橋したポリビニルアルコール、架橋したポリビニルピロリジン、ＰＥＧメチルエーテルメタクリレート、ペクチン、アガロース、キサンタン、ジェラン、Ｐｈｙｔａｇｅｌ（登録商標）、ソルビトール、Ｆｉｃｏｌｌ（登録商標）、グリセロール、デキストラン、グリコーゲン、塩化セシウム、パーフルオロカーボン液、ハイドロフルオロカーボン液、およびこれらの組み合わせを含む群から選択されることを特徴とする、方法。
【請求項９】
請求項１に記載の方法であり、前記試験試料は微生物を含むことが既知である培養試料であることを特徴とする、方法。
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
膵内分泌系と関連付けられるマーカーの発現量を増加させる方法において、膵内分泌系に関連付けられるマーカーを発現している細胞を、十分な量のＴＧＦ−β受容体作動剤を含む培地で処理することで、膵内分泌系に関連付けられるマーカーの発現量を増加させる工程であって、前記膵内分泌系に関連付けられるマーカーを発現している細胞を濃縮させる工程を含む、方法。
【請求項２】
多能性幹細胞を分化させるための方法であって、
ａ．多能性幹細胞を培養する工程と、
ｂ．多能性幹細胞を、胚体内胚葉系に特徴的なマーカーを発現している細胞に分化させる工程と、
ｃ．前記胚体内胚葉系に特徴的なマーカーを発現している細胞を、膵臓内胚葉系に特徴的なマーカーを発現している細胞に分化させる工程と、
ｄ．前記膵臓内胚葉系に特徴的なマーカーを発現している細胞を、膵内分泌系に特徴的なマーカーを発現している細胞に分化させる工程と、を含み、かつ、
前記膵内分泌系に特徴的なマーカーを発現している細胞を、十分な量のＴＧＦ−β受容体作動剤を含む培地で処理することで、前記膵内分泌系に関連付けられるマーカーの発現量を増加させることにより、前記膵内分泌系に特徴的なマーカーの発現量を増加させ、かつ、
前記膵内分泌系に関連付けられるマーカーを発現している細胞を濃縮させる、方法。
【請求項３】
ＴＧＦ−β受容体作動剤が、アクチビンＡ、アクチビンＢ、アクチビンＣ、アクチビンＡのペプチド変異体、ＧＤＦ−８、ＧＤＦ−１１及びＧＤＦ−１５からなる群から選択される、請求項１又は２に記載の方法。
【請求項４】
請求項３に記載の方法であって、前記膵内分泌系に特徴的なマーカーを発現している細胞を、前記膵内分泌系に関連付けられるマーカーの発現量を増加させるのに十分な量のアクチビンＡで
ａ．約１〜約５日間、
ｂ．約３〜約５日間、又は
ｃ．約５日間
処理する、方法。
【請求項５】
ＴＧＦ−β受容体作動剤が、ＧＤＦ−８、ＧＤＦ−１１及びＧＤＦ−１５からなる群から選択される、請求項４に記載の方法。
【請求項６】
ＴＧＦ−β受容体作動剤が、ＧＤＦ−８、ＧＤＦ−１１及びＧＤＦ−１５、並びに他の少なくとも１つの因子からなる群から選択され、他の少なくとも１つの因子が、任意に環式アニリン−ピリジノトリアジンである、請求項５に記載の方法。